(57)【要約】【課題】コストを低減し、且つ単一のサーバが２Ｋ及び４Ｋの両方のディスプレイをサポートすることを可能にする既存の２Ｋサーバ技術を活用できるようにする。【解決手段】パーサが、イメージ・データ・ファイルを第１及び第２の圧縮イメージ成分に分離する。圧縮解除モジュールが、第１の圧縮イメージ成分を非圧縮イメージ成分に圧縮解除する。パッケージング・モジュールが、非圧縮イメージ成分を複数のデータ・フィールドを有するデータ・ストリームに、且つ第２の圧縮イメージ成分を複数のデータ・フィールドの使用してないデータ・フィールドにそれぞれパッケージングする。送信モジュールが、データ・ストリームをデータ・インターフェースを介して送信する。【選択図】図１３
2007306539.tif 000002
【特許請求の範囲】
【請求項１】
オーディオビジュアル・コンテンツを供給する方法であって、
イメージ・データ・ファイルを受信するステップと、
前記イメージ・データ・ファイルを第１の圧縮されたイメージ成分と第２の圧縮されたイメージ成分とにパースするステップと、
前記第１の圧縮されたイメージ成分を圧縮されてないイメージ成分に圧縮解除するステップと、
前記圧縮されてないイメージ成分を、業界許容標準に従って定義されたフォーマットに構成された複数のデータ・フィールドを有するデータ・ストリームに、且つ前記第２の圧縮されたイメージ成分を前記複数のデータ・フィールドの使用してないデータ・フィールドにそれぞれパッケージングするステップと、
前記データ・ストリームをデータ・インターフェースを介して送信するステップと
を備える方法。
【請求項２】
前記イメージ・データ・ファイルを暗号解読するステップを更に備える請求項１記載の方法。
【請求項３】
前記イメージ・データ・ファイルを格納するステップを更に備える請求項１記載の方法。
【請求項４】
前記データ・ストリームを、前記送信するステップの前に暗号化するステップを更に備える請求項１記載の方法。
【請求項５】
前記圧縮されてないイメージ成分にウォーターマーキングするステップを更に備える請求項１記載の方法。
【請求項６】
前記パッケージングするステップが更に、前記第２の圧縮されたイメージ成分を補助データにパッケージングするステップを備える請求項１記載の方法。
【請求項７】
前記パッケージングするステップが更に、前記第２の圧縮されたイメージ成分をアクティブ・ビデオ空間内のスペア・ビットの中にパッケージングするステップを備える請求項１記載の方法。
【請求項８】
前記送信するステップが更に、二重リンク高精度シリアル・デジタル・インターフェース接続を介して送信するステップを備える請求項１記載の方法。
【請求項９】
前記受信するステップが更に、立体イメージ・データ・ファイルを受信するステップを備える請求項１記載の方法。
【請求項１０】
前記第１の圧縮されたイメージ成分が、圧縮された輝度成分を備え、
前記第２の圧縮されたイメージ成分が、圧縮された色成分を備える
請求項９記載の方法。
【請求項１１】
前記パースするステップが更に、
前記圧縮された輝度成分を圧縮された右輝度成分及び圧縮された左輝度成分にパースするステップと、
前記圧縮された色成分を圧縮された右色成分及び圧縮された左色成分にパースするステップと
を備える請求項１０記載の方法。
【請求項１２】
前記圧縮解除するステップが更に、左圧縮解除及び右圧縮解除を備える請求項１１記載の方法。
【請求項１３】
前記パッケージングするステップが更に、左パッケージング及び右パッケージングを備える請求項１記載の方法。
【請求項１４】
前記送信するステップが更に、左送信及び右送信を備える請求項１１記載の方法。
【請求項１５】
前記データ・ストリームを前記送信するステップの前に暗号化するステップを更に備える請求項１１記載の方法。
【請求項１６】
前記暗号化するステップが更に、左暗号化及び右暗号化を備える請求項１５記載の方法。
【請求項１７】
前記圧縮されてないイメージ成分にウォーターマーキングするステップを更に備える請求項１１記載の方法。
【請求項１８】
前記ウォーターマーキングするステップが更に、左ウォーターマーキング及び右ウォーターマーキングを備える請求項１７記載の方法。
【請求項１９】
前記パースするステップが更に、オーディオ成分をパースするステップを備える請求項１記載の方法。
【請求項２０】
前記オーディオ成分にウォーターマーキングするステップを更に備える請求項１９記載の方法。
【請求項２１】
前記受信するステップが更に、高フレーム・レートのイメージ・データ・ファイルを受信するステップを更に備える請求項１記載の方法。
【請求項２２】
前記第１の圧縮されたイメージ成分が、圧縮された輝度成分を備え、
前記第２の圧縮されたイメージ成分が、圧縮された色成分を備える
請求項２１記載の方法。
【請求項２３】
前記パースするステップが更に、
前記圧縮された輝度成分を圧縮された第１の輝度成分及び圧縮された第２の輝度成分にパースするステップと、
前記圧縮された色成分を圧縮された第１の色成分及び圧縮された第２の色成分にパースするステップと
を備える請求項２２記載の方法。
【請求項２４】
前記受信するステップが更に、高解像度のイメージ・データ・ファイルを受信するステップを更に備える請求項１記載の方法。
【請求項２５】
前記第２の圧縮されてないイメージ成分が、圧縮された高解像度増強成分を備える請求項２５記載の方法。
【請求項２６】
オーディオビジュアル・コンテンツを供給する装置であって、
イメージ・データ・ファイルを受信して、前記イメージ・データ・ファイルを第１の圧縮されたイメージ成分と第２の圧縮されたイメージ成分とに分離するよう適合されたパーサと、
前記パーサに結合された圧縮解除モジュールであって、前記第１の圧縮されたイメージ成分を圧縮されてないイメージ成分に圧縮解除するよう適合された圧縮解除モジュールと、
前記圧縮解除モジュールに結合されたパッケージング・モジュールであって、前記圧縮されてないイメージ成分を、業界許容標準に従って定義されたフォーマットに構成された複数のデータ・フィールドを有するデータ・ストリームに、且つ前記第２の圧縮されたイメージ成分を前記複数のデータ・フィールドの使用してないデータ・フィールドにそれぞれパッケージングするよう適合されたパッケージング・モジュールと、
前記パッケージング・モジュールに結合された送信モジュールであって、前記データ・ストリームをデータ・インターフェースを介して送信するよう適合された送信モジュールと
を備える装置。
【請求項２７】
前記パーサに結合され、前記イメージ・データ・ファイルを暗号解読する暗号解読モジュールを更に備える請求項２６記載の装置。
【請求項２８】
前記パーサに結合され、前記イメージ・データ・ファイルを格納する記憶モジュールを更に備える請求項２６記載の装置。
【請求項２９】
前記パッケージング・モジュールに結合され、前記データ・ストリームを前記の送信の前に暗号化する暗号化モジュールを更に備える請求項２６記載の装置。
【請求項３０】
前記圧縮解除モジュールに結合され、前記圧縮されてないイメージ成分にウォーターマーキングするイメージ・ウォーターマーキング・モジュールを更に備える請求項２６記載の装置。
【請求項３１】
前記パーサが更に、前記イメージ・データ・ファイルからオーディオ成分を分離する請求項２６記載の装置。
【請求項３２】
前記パーサに結合され、前記オーディオ成分にウォーターマーキングするオーディオ・ウォーターマーキング・モジュールを更に備える請求項３１記載の装置。
【請求項３３】
前記の複数のデータ・ファイルのうちの前記の使用してないデータ・ファイルが、補助データを備える請求項２６記載の装置。
【請求項３４】
前記データ・ストリームが更に、アクティブ・ビデオ空間を備え、
前記の複数のデータ・ファイルのうちの前記の使用してないデータ・ファイルが、スペア・ビットを前記アクティブ・ビデオ空間の中に備える
請求項２６記載の装置。
【請求項３５】
前記データ・インターフェースが、二重リンク高精度シリアル・デジタル・インターフェース接続を備える請求項２６記載の装置。
【請求項３６】
前記イメージ・データ・ファイルが、立体コンテンツを備える請求項３６記載の装置。
【請求項３７】
前記第１の圧縮されたイメージ成分が、圧縮された輝度成分を備え、
前記第２の圧縮されたイメージ成分が、圧縮された色成分を備える
請求項３６記載の装置。
【請求項３８】
前記パーサが、前記圧縮された輝度成分を圧縮された右輝度成分と圧縮された左輝度成分とに更に分離し、且つ前記圧縮された色成分を圧縮された右色成分と圧縮された左色成分とに更に分離するよう適合されている請求項３７記載の装置。
【請求項３９】
前記圧縮解除モジュールが更に、左圧縮解除モジュール及び右圧縮解除モジュールを備える請求項３８記載の装置。
【請求項４０】
前記パッケージング・モジュールが更に、左パッケージング・モジュール及び右パッケージング・モジュールを備える請求項３８記載の装置。
【請求項４１】
前記送信モジュールが更に、左送信モジュール及び右送信モジュールを備える請求項３８記載の装置。
【請求項４２】
前記パッケージング・モジュールに結合され、前記データ・ストリームを前記の送信の前に暗号化する暗号化モジュールを更に備える請求項３８記載の装置。
【請求項４３】
前記暗号化モジュールが更に、左暗号化モジュール及び右暗号化モジュールを備える請求項４２記載の装置。
【請求項４４】
前記圧縮解除モジュールに結合され、前記圧縮されてないイメージ成分にウォーターマーキングするイメージ・ウォーターマーキング・モジュールを更に備える請求項３８記載の装置。
【請求項４５】
前記ウォーターマーキング・モジュールが更に、左ウォーターマーキング・モジュール及び右ウォーターマーキング・モジュールを備える請求項４４記載の装置。
【請求項４６】
前記イメージ・データ・ファイルが、高フレーム・レートのコンテンツを備える請求項２６記載の装置。
【請求項４７】
前記第１の圧縮されたイメージ成分が、圧縮された輝度成分を備え、
前記第２の圧縮されたイメージ成分が、圧縮された色成分を備える
請求項４６記載の装置。
【請求項４８】
前記パーサが、前記圧縮された輝度成分を圧縮された第１の輝度成分と圧縮された第２の輝度成分とに更に分離し、且つ前記圧縮された色成分を圧縮された第１の色成分と圧縮された第２の色成分とに更に分離するよう適合されている請求項４７記載の装置。
【請求項４９】
前記イメージ・データ・ファイルが、高解像度のコンテンツを備える請求項２６記載の装置。
【請求項５０】
前記第２の圧縮されてないイメージ成分が、圧縮された高解像度増強成分を備える請求項４９記載の装置。
【請求項５１】
オーディオビジュアル・コンテンツを表示するシステムであって、
イメージ・データ・ファイルを受信し、且つデータ・ストリームをデータ・インターフェースを介して送信するよう適合されたサーバを備え、
前記サーバは、
前記イメージ・データ・ファイルを受信して、前記イメージ・データ・ファイルを第１の圧縮されたイメージ成分と第２の圧縮されたイメージ成分とに分離するよう適合された第１のパーサと、
前記第１のパーサに結合された第１の圧縮解除モジュールであって、前記第１の圧縮されたイメージ成分を第１の圧縮されてないイメージ成分に圧縮解除するよう適合された第１の圧縮解除モジュールと、
前記圧縮解除モジュールに結合されたパッケージング・モジュールであって、前記第１の圧縮されてないイメージ成分を、業界許容標準に従って定義されたフォーマットに構成された複数のデータ・フィールドを有するデータ・ストリームに、且つ前記第２の圧縮されたイメージ成分を前記複数のデータ・フィールドの使用してないデータ・フィールドにそれぞれパッケージングするよう適合されたパッケージング・モジュールと、
前記パッケージング・モジュールに結合さた送信モジュールであって、前記データ・ストリームをデータ・インターフェースを介して送信するよう適合された送信モジュールとを備え、
前記システムが更に、前記サーバに前記データ・インターフェースを介して結合された変換回路であって、前記データ・ストリームを受信して、前記イメージを再構成するよう適合された変換回路を備え、
前記変換回路が、
前記データ・インターフェースに結合された第２のパーサであって、前記データ・ストリームを受信して、当該データ・ストリームを第２の圧縮されてないイメージ成分と第３の圧縮されたイメージ成分とに分離するよう適合された第２のパーサと、
前記第２のパーサに結合された第２の圧縮解除モジュールであって、前記第３の圧縮されたイメージ成分を第３の圧縮されてないイメージ成分に圧縮解除するよう適合された第２の圧縮解除モジュールと、
前記第２の圧縮解除モジュールに結合されたイメージ再構成モジュールであって、前記第２の圧縮されてないイメージ成分及び前記第３の圧縮されてないイメージ成分を前記イメージ・データ・ファイルのビジュアル部分に再構成するよう適合されたイメージ再構成モジュールと、
前記変換回路に結合された表示装置であって、前記イメージ・データ・ファイルの前記ビジュアル部分を受信して表示するよう適合された表示装置とを備える、システム。
【請求項５２】
前記サーバが更に、前記第１のパーサに結合され、前記イメージ・データ・ファイルを暗号解読する暗号解読モジュールを備える請求項５１記載のシステム。
【請求項５３】
前記変換回路が更に、前記第２のパーサに結合され、前記のストリーミング・データを暗号解読する暗号解読モジュールを備える請求項５１記載のシステム。
【請求項５４】
前記サーバが更に、前記第１のパーサに結合され、前記イメージ・データ・ファイルを格納する記憶モジュールを備える請求項５１記載のシステム。
【請求項５５】
前記サーバが更に、前記パッケージング・モジュールに結合され、前記データ・ストリームを前記の送信の前に暗号化する暗号化モジュールを備える請求項５１記載のシステム。
【請求項５６】
前記サーバが更に、前記第１の圧縮解除モジュールに結合され、前記第１の圧縮されてないイメージ成分にウォーターマーキングするイメージ・ウォーターマーキング・モジュールを備える請求項５１記載のシステム。
【請求項５７】
前記サーバの前記第１のパーサが更に、前記イメージ・データ・ファイルからオーディオ成分を分離する請求項５１記載のシステム。
【請求項５８】
前記サーバが更に、前記第１のパーサに結合され、前記オーディオ成分にウォーターマーキングするオーディオ・ウォーターマーキング・モジュールを備える請求項５７記載のシステム。
【請求項５９】
前記の複数のデータ・ファイルのうちの前記使用してないデータ・ファイルが、補助データを備える請求項５１記載のシステム。
【請求項６０】
前記データ・ストリームが更に、アクティブ・ビデオ空間を備え、
前記の複数のデータ・ファイルのうちの前記使用してないデータ・ファイルが、スペア・ビットを前記アクティブ・ビデオ空間の中に備える
請求項５１記載のシステム。
【請求項６１】
前記データ・インターフェースが、二重リンク高精度シリアル・デジタル・インターフェース接続を備える請求項５１記載のシステム。
【請求項６２】
前記変換回路が、実質的に前記表示装置内に含まれる請求項５１記載のシステム。
【請求項６３】
前記変換回路が、前記表示装置内に含まれる着脱可能なモジュールを備える請求項５１記載のシステム。
【請求項６４】
前記イメージ・データ・ファイルが高解像度のコンテンツを備える請求項５１記載のシステム。
【請求項６５】
前記第２の圧縮されたイメージ成分及び前記第３の圧縮されたイメージ成分が、それぞれ、圧縮された高解像度増強コンテンツを備える請求項６４記載のシステム。
【請求項６６】
前記イメージ・データ・ファイルが、立体コンテンツを備える請求項５１記載のシステム。
【請求項６７】
前記第１の圧縮されたイメージ成分が、圧縮された輝度成分を備え、
前記第２の圧縮されてないイメージ成分が、圧縮されてない輝度成分を備え、
前記第２の圧縮されたイメージ成分及び前記第３の圧縮されたイメージ成分が、それぞれ、圧縮された色成分を備える
請求項６６記載のシステム。
【請求項６８】
前記第１のパーサが、前記圧縮された輝度成分を圧縮された第１の輝度成分と圧縮された第２の輝度成分とに更に分離し、且つ前記圧縮解除された輝度成分を圧縮解除された右輝度成分と圧縮解除された左輝度成分とに更に分離し、且つ前記圧縮された色成分を圧縮解除された右色成分と圧縮された左色成分とに更に分離するよう適合されている請求項６７記載のシステム。
【請求項６９】
前記第１の圧縮解除モジュールが更に、左圧縮解除モジュール及び右圧縮解除モジュールを備える請求項６８記載のシステム。
【請求項７０】
前記パッケージング・モジュールが更に、左パッケージング・モジュール及び右パッケージング・モジュールを備える請求項６８記載のシステム。
【請求項７１】
前記送信モジュールが更に、左送信モジュール及び右送信モジュールを備える請求項６８記載のシステム。
【請求項７２】
前記第２の圧縮解除モジュールが更に、左圧縮解除モジュール及び右圧縮解除モジュールを備える請求項６８記載のシステム。
【請求項７３】
前記イメージ再構成モジュールが更に、左再構成モジュール及び右再構成モジュールを備える請求項６８記載のシステム。
【請求項７４】
前記変換回路が更に、前記第２のパーサに結合され、前記ストリーミング・データを暗号解読する暗号解読モジュールを備える請求項６８記載のシステム。
【請求項７５】
前記暗号解読モジュールが更に、左暗号解読モジュール及び右暗号解読モジュールを備える請求項７４記載のシステム。
【請求項７６】
前記サーバが更に、前記パッケージング・モジュールに結合され、前記データ・ストリームを前記の送信の前に暗号化する暗号化モジュールを備える請求項６８記載のシステム。
【請求項７７】
前記暗号化モジュールが更に、左暗号化モジュール及び右暗号化モジュールを備える請求項７６記載のシステム。
【請求項７８】
前記サーバが更に、前記第１の圧縮解除モジュールに結合され、前記第１の圧縮されてないイメージ成分にウォーターマーキングするイメージ・ウォーターマーキング・モジュールを備える請求項６８記載のシステム。
【請求項７９】
前記ウォーターマーキング・モジュールが更に、左ウォーターマーキング・モジュール及び右ウォーターマーキング・モジュールを備える請求項７８記載のシステム。
【請求項８０】
前記イメージ・データ・ファイルが、高フレーム・レートのコンテンツを備える請求項５１記載のシステム。
【請求項８１】
前記第１の圧縮されたイメージ成分が、圧縮された輝度成分を備え、
前記第２の圧縮されてないイメージ成分が、圧縮されてない輝度成分を備え、
前記第２の圧縮されたイメージ成分及び前記第３の圧縮されたイメージ成分が、それぞれ、圧縮された色成分を備える
請求項８０記載のシステム。
【請求項８２】
前記第１のパーサが、前記圧縮された輝度成分を圧縮された第１の輝度成分と圧縮された第２の輝度成分とに更に分離し、且つ前記圧縮されてない輝度成分を圧縮されてない第１の輝度成分と圧縮されてない第２の輝度成分とに更に分離し、且つ前記圧縮された色成分を圧縮された第１の色成分と圧縮された第２の色成分とに分離するよう適合されている請求項８１記載のシステム。
【発明の詳細な説明】
【技術分野】
【０００１】
本発明は、デジタル・イメージング・システムに関し、詳細には、標準のより低い解像度サーバを用いて、高解像度及び高フレーム・レート・イメージ・データ・ファイルをデジタル・ディスプレイに供給（ｓｅｒｖｅ）する方法及び装置に関する。
【背景技術】
【０００２】
「デジタル・シネマ」の概念は、デジタル技術を用いて、会場又は劇場でオーディオ／ビジュアル・マテリアルを生成、配給及び提供することを含む。デジタルに生成された又はデジタル変換された映画（ムービー）は、典型的には、例えば、ＤＶＤ−ＲＯＭ、テープ、又はコンピュータ・ハード・ドライブのような物理的媒体上に圧縮され且つ暗号化された形式で配信され、そして、原理的に、衛星又は他の放送通信経路を用いて、電子送信により配信されることができる。
【０００３】
デジタル・シネマ・システムは、多くの場合、３５ｍｍフィルム公開版の品質に匹敵する品質で長編特作映画を再生及び表示するため、商業映画館で用いられている。そのようなシステムは、典型的には、デジタル化されたオーディオビジュアル・コンテンツを映写する、例えば、デジタル・ビデオ・プロジェクタ（投影機）のようなデジタル・ビデオ表示装置、及びデジタル・コンテンツを表示装置に供給する再生サーバを備える。より高い解像度のコンテンツを再生サーバから表示装置へ転送するに必要な帯域幅を与えるため例えば、二重リンク高精度シリアル・デジタル・インターフェース（ＨＤ−ＳＤＩ）のような１又はそれより多くのビデオ・リンクを介して、コンテンツをサーバから表示装置へ供給する。
【０００４】
記憶装置及び媒体ブロックは、劇場再生システムの２つの構成要素である。記憶装置は、最終的再生のためのパッケージングされたコンテンツを保持するイメージ・サーバである。媒体ブロックは、パッケージングされたコンテンツを、劇場において最終的に絵及び音に変わるストリーミング・データに変換するハードウエア装置（又は複数のハードウエア装置）である。これらの２つの構成要素は、一緒に物理的に組み合わされて、統合化システムを形成することもでき、又はこれらの構成要素は、互いに物理的に分離することもできる。用語「サーバ」は、単一の装置に含まれる記憶装置及び媒体ブロックの両方を示すため用いられるであろう。
【０００５】
現在のデジタル・シネマ・システムは、２Ｋ（２０４８×１０８０）解像度のイメージをサポートする。現在は、元のマテリアルに忠実な最終生成品を提供するため４Ｋ（４０９６×２１６０）のようなより高い解像度へ移行する取り組みがある。しかしながら、以下でより詳細に説明されるように、そのようなシステムを実現するのは技術的挑戦である。
【０００６】
図１は、２Ｋ解像度のイメージ１０の規模を示し、一方、図２は、４Ｋ解像度のイメージ１２の規模を示す。２Ｋイメージ１０は、２０４８ピクセル幅×１０８０ピクセル高さのピクセルのアレイから成る。４Ｋイメージ１２は、４０９６ピクセル幅×２１６０ピクセル高さのピクセルのアレイから成る。４Ｋ解像度のイメージ１２の規模は、２Ｋ解像度のイメージ１０の規模の４倍に対応する。従って、４Ｋ解像度のイメージ１２は、図３に示されるように、４つの２Ｋ解像度のイメージ、即ち、１個の左上の２Ｋイメージ２０、１個の右上２Ｋイメージ２２、１個の左下２Ｋイメージ２４、及び１個の右下２Ｋイメージ２６に切ることができる。ソース・イメージ（元のイメージ）は、タイリングと呼ばれるプロセスで長方形の非重複ブロックに仕切られる。各タイルは、２０４８ピクセル幅×１０８０ピクセル高さである。次いで、各タイルは、あたかもタイルが全く独立のイメージであるかのように、独立に圧縮される。
【０００７】
デジタル化された映画は、典型的には、制作会社から、デジタル・シネマ・イニシアチブ（ＤＣＩ）の仕様に従って圧縮された４Ｋ解像度イメージとして配信される。ＤＣＩは、ディズニー、フォックス、ＭＧＭ、パラマウント、ソニー・ピクチャ・エンターテインメント、ユニバーサル、及びワーナー・ブラザーズ・スタジオの共同事業体であり、それは、デジタル・イメージングのためのオープン・アーキテクチャ用自発的仕様を文書化する。従って、圧縮されたイメージは、典型的には、後で見るためデジタル・イメージング・システムに格納される。
【０００８】
ＤＣＩは、４Ｋ解像度イメージが圧縮されて配給されるべきこと、及び用いられた圧縮標準がＪＰＥＧ２０００（ジョイント・フォトグラフィック・エキスパート・グループ）であるべきことを指定する。ＪＰＥＧ２０００アルゴリズムは、圧縮されたより高い解像度増強成分（ＨＲ成分）と一緒に２Ｋ解像度の圧縮されてないイメージを発生することによりイメージを圧縮する。図４は、４Ｋ解像度イメージ１２が圧縮されて、ＨＲ成分２８と一緒に等価の２Ｋ解像度イメージ１０を生成することを示す。４Ｋ解像度イメージ１２は、ＨＲ成分２８付きの２Ｋ解像度イメージ１０から直接に再構成されることができる。ひとたび圧縮されると、４Ｋのより高い解像度イメージ１２は、２Ｋ解像度イメージ１０と圧縮されたＨＲ成分２８とを一緒に組み合わせることにより再構成されることができる。
【０００９】
２つの方法は、現在、デジタル・シネマ・システムにおいて、格納された４Ｋ解像度イメージを表示するため用いられている。第１の方法では、図５に示されるように、受け取られた各圧縮された４Ｋ解像度イメージは、圧縮されてない４Ｋ解像度イメージに再構成され、続いて、４つのタイル、即ち、左上タイル３０、右上タイル３２、左下タイル３４及び右下タイル３６に切られる。次いで、各タイルは、４つの２Ｋサーバ３８ａ−３８ｄのうちのそれぞれに格納される。その結果は、４つのイメージから作られたオーディオビジュアル・コンテンツである。各イメージは、個々の２Ｋリンクを介してデジタル４Ｋプロジェクタ４０に接続された別々の２Ｋイメージ・サーバ３８ａ−３８ｄから転送される。別々のサーバを用いるので、イメージは、タイム・コード・ソース信号を用いて、互いに同期化され、それによりプロジェクタは、イメージと一緒に同期化して、フレームのミスアライメントを阻止する。
【００１０】
第１の方法は、イメージ・サーバ３８ａ−３８ｄがタイルが同時に再生することを保証するため互いに同期化されねばならないので最適でない。第１の方法はまた、この方法が４つのタイルを発生するため用いられる特別のプロセスに加えて、４つの２Ｋイメージ・サーバ３８ａ−３８ｄを必要とするので、コストがかかる。その結果、この方法は、一般的に、その高い複雑さ及びコストのため劇場に配置されてない。
【００１１】
図６に示される第２の方法では、デジタル化されたオーディオビジュアル・コンテンツが、４Ｋサーバ４２に、２Ｋ解像度イメージ及び４Ｋの圧縮された高解像度コンテンツを含む単一のパッケージとして格納される。４Ｋサーバ４２は、圧縮された成分から４Ｋ解像度イメージを再構成し、次いで当該イメージを、プロジェクタ４０へ送信されるべき４つのタイル３０、３２、３４、３６に内部的に分離する。この第２の方法は、オーディオビジュアル・コンテンツを単一のパッケージに格納する利点を提供する。しかしながら、それの欠点は、サーバのコストにあり、それは、市場で入手可能なより標準的２Ｋサーバのコストより著しく高い。４Ｋサーバは、非常に新しい技術であり、標準の２Ｋサーバより少ないモデルしか商業的に入手できなく、そしてより高い記憶容量を必要とし、それは、サーバのコストを上げる。その上、接続が、４Ｋ解像度イメージをプロジェクタ４０に伝送するため、依然として４つの物理的２Ｋリンクを必要とする。
【００１２】
デジタル・イメージング・システムは４Ｋコンテンツをサーバから表示装置へ与えることへ向かって進んでいるので、「デジタル３Ｄ」のような代替イメージング表示プロセスは、より高いイメージ品質を与えるよう同じ動きをしている。「デジタル３Ｄ」は、立体イメージを示すためデジタル・イメージングで用いられる用語であり、そこにおいては、交互の左及び右のイメージが、２Ｄスクリーンに表示される。これらのイメージを見る方法を採用しすることにより、それぞれの目が意図したイメージのみを見る。その結果、左の目が右の目とは僅かに異なるイメージを見て、立体視効果を提供することが得られる。
【００１３】
立体コンテンツは、現在では、二重リンクＨＤ−ＳＤＩ接続を介して２Ｋ解像度４：２：２ １０ビット品質信号として供給されている。ビデオ・システムにおけるクロマ・サブサンプリングが、通常、三連比（ｔｈｒｅｅ  ｐａｒｔ  ｒａｔｉｏ）（即ち、４：２：２）として表現される。その比の３つの項は、輝度サンプルの数と、それに続く、各完全なサンプル範囲に対する２つの色成分のサンプル数である。４：２：２サブサンプリングに対して、２つの色差チャネルのそれぞれが、輝度チャネルのサンプリング速度の半分を有し、そこで、水平色解像度は、４：４：４サブサンプリングのそれの単に半分である。立体コンテンツを今日において見るため、立体表示装置は、典型的には、現在の２Ｋシステムのサーバに類似のサーバと一緒に用いられる。立体イメージは、通常標準コンテンツのため用いられるフレーム・レート（例えば、２４フレーム／秒）より高いフレーム・レート（例えば、４８フレーム／秒）で送られ、そして左目及び右目の成分に分離され、次いで１つのデータ・ストリームにインターリーブされる。従って、データ・ストリームは、２つのイメージを実際に表示する表示装置に送信される。偏光した、又は液晶ディスプレイ（ＬＣＤ）眼鏡のような特別の眼鏡は、それらのイメージの一方を一方の目に入れ、その他方を他方の目に入れるようにする。
【００１４】
同様に、４８フレーム／秒（ｆｐｓ）コンテンツのような高フレーム・レートの非立体イメージは、立体コンテンツと同じ制限を有し、そして二重リンクＨＤ−ＳＤＩ接続を介して２Ｋ解像度４：２：２１０ビット品質信号として現在供給されることができるだけである。高フレーム・レートの非立体コンテンツ及び立体コンテンツに対してより良好なイメージ品質を与えるため、２Ｋ解像度４：２：２１０ビット品質信号を可能にする一層高品質、高フレーム・レート・システムを提供することが有利であろう。
【発明の開示】
【発明が解決しようとする課題】
【００１５】
コストを低減し且つ単一のサーバが２Ｋ及び４Ｋの両方のディスプレイをサポートすることを可能にするため既存の２Ｋサーバ技術を活用する方法に対する必要性が存在する。同様に、同じ２Ｋサーバ技術を利用しながら、より高いフレーム・レート・イメージを与える必要性が存在する。
【課題を解決するための手段】
【００１６】
本発明は、従来技術の前述の欠点を克服する標準のより低い解像度サーバを用いて、高解像度で高フレーム・レートのイメージ・データ・ファイルをデジタル・プロジェクタに供給する方法、装置及びシステムを提供する。デジタル・シネマは、例示的応用として用いられるであろうが、しかし、本発明はまた、他のデジタル・イメージング応用に適用し得る。
【００１７】
本発明の一実施形態において、オーディオビジュアル・コンテンツを供給する方法は、（ａ）イメージ・データ・ファイルを受信するステップと、（ｂ）前記イメージ・データ・ファイルを第１の圧縮されたイメージ成分及び第２の圧縮されたイメージ成分にパースするステップと、（ｃ）前記第１の圧縮されたイメージ成分を圧縮されてないイメージ成分に圧縮解除するステップと、（ｄ）前記圧縮されてないイメージ成分を、業界許容標準に従って定義されたフォーマットに構成された複数のデータ・フィールドを有するデータ・ストリームに、且つ前記第２の圧縮されたイメージ成分を前記複数のデータ・フィールドの使用してないデータ・フィールドにそれぞれパッケージングするステップと、（ｅ）前記データ・ストリームをデータ・インターフェースを介して送信するステップとを備える。
【００１８】
本発明の別の実施形態においては、オーディオビジュアル・コンテンツを供給する装置は、パーサ、圧縮解除モジュール、パッケージング・モジュール、及び送信モジュールを備える。パーサは、イメージ・データ・ファイルを受信して、前記イメージ・データ・ファイルを第１の圧縮されたイメージ成分と第２の圧縮されたイメージ成分とに分離するよう適合されている。圧縮解除モジュールは、前記パーサに結合され、そして前記第１の圧縮されたイメージ成分を圧縮されてないイメージ成分に圧縮解除するよう適合されている。パッケージング・モジュールは、前記圧縮解除モジュールに結合され、そして、データ・インターフェースを介して送信のため、前記圧縮されてないイメージ成分を、業界許容標準に従って定義されたフォーマットに構成された複数のデータ・フィールドを有するデータ・ストリームに、且つ前記第２の圧縮されたイメージ成分を前記複数のデータ・フィールドの使用してないデータ・フィールドにそれぞれパッケージングするよう適合されている。送信モジュールは、前記パッケージング・モジュールに結合され、そして前記データ・ストリームをデータ・インターフェースを介して送信するよう適合されている。
【００１９】
本発明の更に別の実施形態においては、オーディオビジュアル・コンテンツを表示するシステムは、サーバ、変換回路、及び表示装置を備える。サーバは、イメージ・データ・ファイルを受信し、そしてデータ・ストリームをデータ・インターフェースを介して送信するよう適合されている。当該サーバは、パーサ、圧縮解除モジュール、パッケージング・モジュール、及び送信モジュールを備える。パーサは、前記イメージ・データ・ファイルを受信して、前記イメージ・データ・ファイルを２つの圧縮されたイメージ成分に分離するよう適合されている。圧縮解除モジュールは、前記パーサに結合され、そして前記圧縮されたイメージ成分を圧縮解除するよう適合されている。パッケージング・モジュールは、前記圧縮解除モジュールに結合され、そしてデータ・インターフェースを介して送信のため、前記圧縮されてないイメージ成分を、業界許容標準に従って定義されたフォーマットに構成された複数のデータ・フィールドを有するデータ・ストリームに、且つ前記圧縮されたイメージ成分を前記複数のデータ・フィールドの使用してないデータ・フィールドにそれぞれパッケージングするよう適合されている。送信モジュールは、前記パッケージング・モジュールに結合され、そして前記データ・ストリームをデータ・インターフェースを介して送信するよう適合されている。
【００２０】
変換回路は、前記サーバに前記データ・インターフェースを介して結合され、そして前記データ・ストリームを受信して、前記イメージ・データ・ファイルのビジュアル部分を再構成するよう適合されている。変換回路は、パーサ、圧縮解除モジュール、及びイメージ再構成モジュールを備える。パーサは、前記データ・インターフェースに結合され、そして前記データ・ストリームを受信して、当該データ・ストリームを圧縮されてないイメージ成分と圧縮されたイメージ成分とに分離するよう適合されている。圧縮解除モジュールは、前記パーサに結合され、そして前記圧縮されたイメージ成分を圧縮解除するよう適合されている。イメージ再構成モジュールは、前記圧縮解除モジュールに結合され、そして複数の圧縮されてないイメージ成分を前記イメージ・データ・ファイルのビジュアル部分に再構成するよう適合されている。表示装置は、前記変換回路に結合され、そして前記イメージ・データ・ファイルの前記ビジュアル部分を受信して表示するよう適合されている。
【００２１】
本発明の更に別の実施形態においては、イメージ・データ・ファイルは、立体コンテンツを含み得る。従って、立体イメージ・データ・ファイルは、圧縮された右目輝度成分、圧縮された輝度成分、圧縮された右目色成分、及び圧縮された左目色成分に分離され、そして、これらの成分は、その後、圧縮解除され、パッケージングされ、そして送信される。右目輝度成分及び左目輝度成分は、データ・ストリームにパッケージングされ、そして右目色成分及び左目色成分は、データ・インターフェースを介して送信のため、データ・ストリームの前記複数のデータ・フィールドのうちの使用してないデータ・フィールドにパッケージングされる。
【００２２】
オーディオビジュアル・コンテンツを供給する方法及び装置のより完全な理解、並びに、その追加の利点及び目的の理解が、好適な実施形態の以下の詳細な説明を考慮することにより、当業者に提供されるであろう。最初に簡単に説明される添付図面が参照されるであろう。
【発明を実施するための最良の形態】
【００２３】
本発明は、４Ｋ解像度のイメージ及び高フレーム・レート・コンテンツを格納し、それらをサーバと表示装置との間で伝送するため既存の２Ｋサーバ技術を利用するデジタル・イメージング・システムを提供することにより従来技術の欠点を克服する。本発明の利点は、単一のサーバが２Ｋ及び４Ｋのイメージを再生し、そして映画館主は、２Ｋと４Ｋとの両方の表示装置に接続するとき２つのタイプのサーバを運ぶ必要がなく、唯一つを運べばよい点にある。従って、これは、劇場での設備財産目録を低減し、それによりコストを低減する。別の利点は、同じ物理的リンクを２Ｋ及び４Ｋの両方のシステムに対して用いることができることである。２Ｋシステムのため開発された全ての技術をコストに影響を及ぼすこと無しに４Ｋシステムのため再使用することができる。
【００２４】
２Ｋサーバの現在の実現形態に対応するブロック図が、図７に示されている。２Ｋサーバは、次のモジュール、即ち、記憶モジュール４４、データ暗号解読モジュール４６、オーディオ／ビデオ・パーサ・モジュール４８、圧縮解除エンジン５０、イメージ・ウォーターマーキング・モジュール５２、イメージ物理的リンク暗号化モジュール５４、及びオーディオ・ウォーターマーキング・モジュール５６から成る。
【００２５】
２Ｋサーバは、データをその入力で受け取り、そしてファイルを記憶モジュール４４に格納する。記憶モジュール４４は、データ暗号解読モジュール４６に結合される。暗号化されている場合、データは、データ暗号解読モジュール４６に事前にローディングされているセキュリティ・キーを用いて暗号解読される。暗号化されてないデータは、「平文」と呼ばれる。データ暗号解読モジュール４６は、パーサ４８に結合される。従って、平文データ・ストリームは、パースされて、イメージからオーディオ（音声）を分離する。パーサ４８により分離されたオーディオは、オーディオ・ウォーターマーキング・モジュール５６に結合される。ウォーターマーキング（フォレンジック（ｆｏｒｅｎｓｉｃ）で又は別の方法で）を必要とする場合、オーディオは、ウォーターマーキングされ、そして音声処理システムに転送される。ウォーターマークは、デジタル・イメージ、オーディオ又はビデオ・ファイルに挿入されたビットのパターンであって、ファイルの著作権情報（著者、権利等）を識別するものである。フォレンジック・ウォーターマークは、再生ソース及び再生日付を識別するため用いられるバリアント（ｖａｒｉａｎｔ）である。パーサ４８により分離されたイメージは、圧縮解除エンジン５０に結合される。従って、イメージ・ストリームは、平文の圧縮されてない２Ｋ解像度イメージに圧縮解除される。圧縮解除エンジン５０は、イメージ・ウォーターマーキング・モジュール５２に結合される。イメージ・ウォーターマーク（フォレンジックで又は別の方法で）を必要とする場合、ウォーターマーキングは、引き続き、イメージに適用される。イメージ・ウォーターマーキング・モジュール５２は、暗号化モジュール５４に結合される。物理的リンク暗号化を必要とする場合、暗号化は、イメージに適用される。暗号化プロセスは、データを秘密コードに変換する。暗号化は、データの安全を達成するための最も有効な方法である。イメージングのため典型的に用いられる暗号化方法は、ＡＥＳ−１２８（高度暗号化標準）である。暗号化モジュール５４は、二重リンクＨＤ−ＳＤＩ接続に結合され、従ってデータ・ストリームは、データ・インターフェースを介して送信される。
【００２６】
図８は、本発明の一実施形態に従ったデジタル・イメージング・システムを示す。オーディオビジュアル・コンテンツの供給のためＤＣＩにより指定されるように、ウェーブレット技術（ＪＰＥＧ２０００）を用いて圧縮された４Ｋイメージは、圧縮されたＨＲ成分と一緒の２Ｋ解像度イメージ・セクションを有する。本発明の実施形態は、次の構成要素、即ち、２Ｋサーバ６２、物理的２Ｋリンク６４、２Ｋツー４Ｋ回路（２Ｋ  ｔｏ  ４Ｋ  ｃｉｒｃｕｉｔ）６６、及び４Ｋプロジェクタ６０から成る。２Ｋサーバ６２は、圧縮された４Ｋイメージを受け取り、２Ｋ解像度イメージ部分のみを圧縮解除し、次いで圧縮されてない２Ｋイメージ及び圧縮されたＨＲ成分をパッケージングして、物理的２Ｋリンク６４に送信する。なお、物理的２Ｋリンク６４は、２Ｋサーバ６２と４Ｋプロジェクタ６０との間に直接接続されている。物理的２Ｋリンク６４を介して送信されたストリーミング・データは、使用されてないビットを用いて高解像度の圧縮されたイメージのＨＲ成分を搬送するように符号化される。２Ｋツー４Ｋ回路６６は、プロジェクタに統合化されてもよく、又はプロジェクタ用に設計されたプラグイン回路（例えば、ＰＣＭＣＩＡカードのようなもの）であってもよく、或いは標準４Ｋデジタル・プロジェクタの入力に接続されたスタンドアローンの１個の装置であってもよい。
【００２７】
２ＫリンクがＳＭＰＴＥ−３７２Ｍ（映画テレビジョン技術者協会）に準拠して２つのＨＤ−ＳＤＩリンクから成るので、単一の物理的２Ｋリンク６４を用いることが可能である。なお、ＳＭＰＴＥ−３７２Ｍは、２Ｋ解像度イメージを搬送するよう設計されている。二重リンクは、２つのＨＤ−ＳＤＩリンクを含み、当該二重リンクＨＤ−ＳＤＩにおいては、各ＨＤ−ＳＤＩリンクは、ＳＭＰＴＥ−２９２Ｍに従って指定される。二重リンクＨＤ−ＳＤＩ接続は、１ピクセル当たり４０ビットのデータ、１ライン当たり使用可能な２７５０ピクセル、及び１リンク当たり１１２５合計ラインのための空間を有する。アクティブ・イメージ・ペイロード・サイズは、２Ｋ解像度イメージに対して１０８０ライン×２０４８ピクセルである。
【００２８】
各ピクセルは、ＲＧＢ及びＹＣｂＣｒのような色モデルについて３つの色成分を考慮すると、１色成分当たり合計３６ビット又は１２ビットにより表される。各二重リンクＨＤ−ＳＤＩ接続が１ピクセル当たり４０ビットのデータのための空間を有するので、１ピクセル当たり４ビットが、スペア・ビットとして設計され、そして追加のデータを搬送するため使用可能にされる。４ビットのうちの１つが、００００００００００及び１１１１１１１１１１のような禁止ワードを回避するため用いられる。これは、プロペラエタリの使用のため使用可能である「アクティブ・データ」の１ピクセル当たり少なくとも３ビットを可能にする。本発明の一実施形態は、１ピクセル当たり３つのスペア・ビットを用いて、４Ｋの高解像度の圧縮されたＨＲ成分を伝送する。
【００２９】
図９に図示されているように、ＳＭＰＴＥ−３７２Ｍに従ったＲＧＢ１２ビット信号の場合、リンクＡ７０は、全Ｇサンプルの最上位１０ビットにＢ及びＲの偶数番目サンプルの最上位１０ビットを加えたものを搬送する。リンクＢ７２は、Ｂ及びＲの奇数番目サンプルの最上位１０ビットにアルファ・チャネルを加えたものを搬送し、そのアルファ・チャネルは、データの４スペア・ビットと一緒のＲＧＢサンプルの最下位２ビットを含む。１０ビットは、アルファ・チャネルの中の１サンプルにつき使用可能であり、そして６個のみが、ＲＧＢサンプルの最下位２ビットにより用いられる。従って、１サンプル当たり４スペア・ビットが、使用可能である。
【００３０】
本発明の一実施形態に従って、１サンプル当たり４スペア・ビットの間の３スペア・ビットは、４ＫイメージのＨＲ成分を搬送するため用いられる。余分のスペア・ビットは、禁止ワードを回避するため用いられる。２４フレーム／秒で表示されるビデオの場合、１サンプル当たり３スペア・ビットは、２０４８×１０８０×２４×３＝１５９，２５２Ｍｂｉｔｓ／ｓ（メガビット／秒）を圧縮されたＨＲ成分のため用いることを可能にする。圧縮されたＨＲ成分は、約３０Ｍｂｉｔｓ／ｓを必要とするのみである。従って、スペア・ビットの使用は、ＨＲ成分をデータ・ストリームで搬送するのに十分である。
【００３１】
同様に、ＳＭＰＴＥ−３７２Ｍで定義されるように、ＹＣｂＣｒ（４：４：４）１２ビット色モデルを用いる場合、同じスペア・ビットを用いて、圧縮されたＨＲ成分を搬送し得る。図１０は、ＹＣｂＣｒ（４：４：４）１２ビット信号のためのチャネル表示を示す。Ｙ、Ｃｂ及びＣｒサンプルは、フレームの中の同じ場所にＲ、Ｇ及びＢのサンプルのそれぞれとしてマッピングする。ＲＧＢのため使用可能な同じスペア・ビットは、アルファ・チャネルの中のＹＣｂＣｒのため使用可能である。従って、同じ使用可能ビット・レートを用いて、圧縮されたＨＲ成分を搬送し得る。
【００３２】
本発明の別の実施形態においては、補助データが、圧縮されたＨＲ成分の送信のため用いられる。ＳＭＰＴＥ−２９１Ｍで定義される補助データは、ユーザ・データを搬送するための十分に定義された構造を提供する。
【００３３】
図１１に示されるように、各ＨＤ−ＳＤＩフレームは、ＥＡＶ（アクティブ・ビデオの終了）７４で始まり、これにＬＮ（ライン番号）７６、ＣＲＣ（巡回冗長符号）７８、及びＳＭＰＴＥ−２９１Ｍに準じて補助データを含み得るビデオ・ブランキング範囲８０が続く。次いで、ビデオ・ブランキング範囲８０には、ＳＡＶ（アクティブ・ビデオの開始）８２が続き、その後に、アクティブ・ビデオ空間８４が続く。
【００３４】
ＳＭＰＴＥ−２９１Ｍに従って、補助データの２つの異なるタイプが、使用可能である。タイプ１は、ＤＢＮ（データ・ブロック番号）を用い、そしてタイプ２は、共通データＩＤに加えて副データＩＤを用いる。副データＩＤを用いて、成分タイプ（例えば、Ｒ、Ｇ又はＢ）を識別するので、タイプ２を用いることが好ましい。しかしながら、本発明は１つのタイプに限定されるものではないことが認められるべきである。
【００３５】
図１２は、タイプ２の補助（ＡＮＣ）データ・パケット９０の構成要素を示し、それは、ビデオ・フレームのブランキング範囲８０にマッピングされる。全てのＡＮＣパケット９０は、３ワードの補助データ・フラグ（ＡＤＦ）９２で始まる。ＡＤＦ９２直後のワードは、ＡＮＣパケット９０のタイプを識別するデータＩＤ（ＤＩＤ）９４値を含む。ＤＩＤ９４の後のワードは、副データＩＤ（ＳＤＩＤ）９６値を含む。ＳＤＩＤ９６値は、ＤＩＤ９４と組み合わされて、１５ビットのパケット識別コードを与える。ＳＤＩＤ９６に続くワードは、データ・カウント（ＤＣ）９８を含む。ＤＣ９８は、パケットのペイロード部分の中のワード数を指示し、そのペイロード部分は、ＤＣ９８の直後から始まる。ＡＮＣパケット９０は、最大２５５ペイロード・ワードに制限される。ペイロード・セクションの中のワードは、ユーザ・データ・ワード（ＵＤＷ）１００と呼ばれる。ユーザ・データ・ワードは、８ビット値に制限されない。各ＵＤＷ１００の全ての１０ビットを用いることができる。チェックサム・ワード（ＣＳ）１０２が、最後のＵＤＷ１００の直ぐ後に続く。ＣＳ１０２は、ＡＮＣパケット９０に対する幾らかのエラー検出能力を与える。
【００３６】
実際には、ＤＩＤ９４及びＳＤＩＤ９６がアプリケーションにより認識されない場合、ＡＮＣデータ・パケット９０は、単純に無視されるであろう。補助データを用いて、圧縮されたＨＲ成分を伝送する本発明の実施形態については、ＤＩＤ９４及びＳＤＩＤ９６は、２Ｋツー４Ｋ回路６６により認識され、従って、補助データが、圧縮されたＨＲ成分を搬送するため用いられることができる。
【００３７】
補助データ・パケット９０は、それぞれ１０ビットのユーザ・データ・ワードを最大２５５個含むことができる。ＳＭＰＴＥ−２９２Ｍに従って、各ＨＤ−ＳＤＩ接続は、１ライン当たり２７５０ワードのための空間を有する。４Ｋの圧縮されたイメージのうちの２Ｋ解像度の圧縮されてない部分を送信するため、ＥＡＶ／ＬＮ／ＣＲＣ／ＳＡＶの１２ワードと一緒に２０４８ワード／ラインが必要となる。従って、ブランキング範囲８０が補助データ・パケットに与えるために使用可能な６９０ワードが残っている（即ち、（２７５０−２０４８−１２）＝６９０ワード）。各補助データ・パケット９０は、フラグ、ＩＤ及びチェックサムの７ワードを含み、そして最大２５５個のユーザ・データ・ワード１００を含むことができる。従って、フルの補助データ・パケット９０は、２６２ワード（２５５＋７＝２６２）を含むであろう。従って、補助データ・パケット９０のため使用可能な６９０ワードは、２つの完全な補助データ・パケット、及び１５９個のユーザ・データ・ワードのみを含む第３の一部充填された補助データ・パケットを搬送することができる（（２５５×２）＋１５９＋（７×３）＝６９０）。
【００３８】
２４フレーム／秒で表示されるビデオの場合、補助データ・パケット９０は、（（２５５×２）＋１５９）×１１２０×２４×８＝１４３，８６２Ｍｂｉｔｓ／ｓを圧縮されたＨＲ成分の送信のため用いることを可能にする。前の計算では、（（２５５×２）＋１５０）が、前述した２つの完全ＡＮＣパケット及び１つの部分的ＡＮＣパケットに対応する。値１１２０は、ＳＭＰＴＥ−２９２Ｍに準拠してＨＤ−ＳＤＩリンクで使用可能な１フレーム当たり合計１１２５ラインに対応する。約２ライン／フレームが、確保される。従って、５ラインが、マージンを与えるため使用可能なラインの合計数から差し引かれる。上記の公式における値２４は、２４フレーム／秒のフレーム・レートを表す一方、値８は、アクティブ・データに使用可能な８ビットを表す。２ビットがパリティ指示及び禁止ワードの阻止のため用いられるので、８ビットのアクティブ・データのみが、バスの合計１０ビットの間で使用可能である。二重リンクＨＤ−ＳＤＩ接続は、ＳＭＰＴＥ−３７２Ｍに従ってそれぞれ１０ビットのポートを４つ与える。従って、使用可能な空間は、実際には、上記で計算された量の４倍、即ち、５７５，４４７Ｍｂｉｔｓ／ｓである。圧縮されたＨＲ成分が、約３０Ｍｂｉｔｓ／ｓを要求するのみである。従って、補助データ・パケット９０は、ＨＲ成分をデータ・ストリームで搬送するのに十分である。
【００３９】
本発明の一実施形態においては、２Ｋサーバ６２は、図１３に示されるブロック図に従って設計されている。２Ｋサーバ６２は、記憶モジュール１４４、データ暗号解読モジュール１４６、パーサ・モジュール１４８、圧縮解除エンジン１５０、イメージ・ウォーターマーキング・モジュール１５２、パッケージング・モジュール１５８、イメージ物理的リンク暗号化モジュール１５４、及びオーディオ・ウォーターマーキング・モジュール１５６を備える。
【００４０】
２Ｋサーバ６２は、４Ｋ解像度の圧縮されたデータをその入力で受け取り、そして圧縮されたデータを記憶モジュール１４４に格納する。記憶モジュール１４４は、データ暗号解読モジュール１４６に結合される。暗号化された場合、データは、データ暗号解読モジュール１４６の中に事前にローディングされているセキュリティ・キーを用いて、暗号解読される。データ暗号解読モジュール１４６は、パーサ・モジュール１４８に結合される。従って、平文データ・ストリームは、パースされて、データを平文オーディオ成分、平文の圧縮されたＨＲ成分、及び平文の圧縮された２Ｋ解像度イメージに分離する。パーサ・モジュール１４８により分離されたオーディオは、オーディオ・ウォーターマーキング・モジュール１５６に結合される。ウォーターマーキング（フォレンジックで又は他の方法で）が要求される場合、オーディオは、ウォーターマーキングされ、そしてオーディオ処理システムに転送される。パーサ・モジュール１４８により分離された平文の圧縮された２Ｋ解像度イメージは、圧縮解除エンジン１５０に結合される。従って、平文の圧縮された２Ｋ解像度イメージ・ストリームは、平文の圧縮されてない２Ｋ解像度イメージに圧縮解除される。平文の圧縮されたＨＲ成分は、使用してないビットのＨＤ−ＳＤＩデータ・ストリーム内で一層容易に転送されるため、圧縮されたままである。圧縮解除エンジン１５０は、イメージ・ウォーターマーキング・モジュール１５２に結合される。イメージ・ウォーターマークが（フォレンジックで又は他の方法で）要求される場合、ウォーターマーキングは、平文の圧縮されてない２Ｋ解像度イメージに適用される。イメージ・ウォーターマーキング・モジュール１５２は、パッケージング・モジュール１５８に結合される。従って、平文の圧縮されてない２Ｋ解像度イメージ及び平文の圧縮されたＨＲ成分は、共に、二重リンクＨＤ−ＳＤＩデータ・ストリームの中のアクティブ・データ及び使用してないビットのそれぞれにパッケージングされる。パッケージング・モジュール１５８は、暗号化モジュール５４に結合される。物理的リンク暗号化が要求される場合、暗号化が、データ・ストリームに適用される。暗号化モジュール１５４は、二重リンクＨＤ−ＳＤＩ接続に結合され、そこでデータ・ストリームは、データ・インターフェースを介して送信される。
【００４１】
本発明の代替実施形態においては、次のモジュール、即ち、記憶モジュール１４４、データ暗号解読モジュール１４６、イメージ・ウォーターマーキング・モジュール１５２、イメージ物理的リンク暗号化モジュール１５４、及びオーディオ・ウォーターマーキング・モジュール１５６を省略し得る。これらのモジュールは、所望の機能を実行する既存の装置を利用するため省略され得て、又はモジュール機能が要求されないとき省略され得る。例えば、セキュリティ（安全性）が問題でない場合、暗号化及び暗号解読を省略し得る。その上、記憶装置、ウォーターマーキング装置、又は暗号化装置のような更なる装置が、システムをより柔軟にするためサーバとプロジェクタとの間に挿入され得る。例えば、より大きい記憶装置が市場で入手可能となるとき、２Ｋサーバを交換することを必要とせずに、外部記憶装置が、システムの中でより大きい記憶能力に置換することを可能にする。
【００４２】
本発明の一実施形態においては、例示的表示装置、即ち、プロジェクタ６０が、図１４に示されている。４Ｋデジタル・プロジェクタ６０は、次のモジュール、即ち、データ暗号解読モジュール１６２、パーサ・モジュール１６４、圧縮解除エンジン１６６、イメージ再構成モジュール１６８、及びディスプレイ１６０を備える。
【００４３】
４Ｋデジタル・プロジェクタ６０は、アクティブ・データに符号化された圧縮されてない２Ｋ解像度データとしての４Ｋ解像度イメージと、ＨＤ−ＳＤＩデータ・ストリームの使用してないビットに符号化された圧縮されたＨＲ成分と、を含む二重リンクＨＤ−ＳＤＩデータ・ストリームを受信する。データ・インターフェースが、データ暗号解読モジュール１６２に接続する。暗号化される場合、データは、データ暗号解読モジュール１６２に事前にローディングされているセキュリティ・キーを用いて暗号解読される。データ暗号解読モジュール１６２は、パーサ・モジュール１６４に結合される。従って、データ・ストリームは、パースされて、データを平文の圧縮されたＨＲ成分及び平文の圧縮されてない２Ｋ解像度イメージに分離する。パーサ・モジュール１６４により分離された平文の圧縮されたＨＲ成分は、圧縮解除エンジン１６６に結合される。従って、平文の圧縮されたＨＲ成分は、平文の圧縮されてないＨＲ成分に圧縮解除される。圧縮解除エンジン１６６は、イメージ再構成モジュール１６８に結合され、当該イメージ再構成モジュール１６８は、ディスプレイ１６０に結合される。従って、平文の圧縮されてない２Ｋ解像度イメージ及び平文の圧縮されてないＨＲ成分は、一緒に、平文の圧縮されてない４Ｋ解像度データに再構成され、次いで、その平文の圧縮されてない４Ｋ解像度データは、見るためディスプレイ１６０に送信される。典型的には、再構成は、逆ウェーブレット変換を用いて、４Ｋ解像度イメージを再構成することにより達成される。
【００４４】
本発明の代替実施形態は、データ暗号解読モジュール１６２、パーサ・モジュール１６４、圧縮解除エンジン１６６、及びイメージ再構成モジュール１６８を上記で説明したのと同じ要領であるが、但し、スタンドアローン変換装置で実行する。このスタンドアローン変換装置は、既存の装置を利用するようプロプラエタリ・フォーマットを標準フォーマットに変換するため、本発明に従って、標準４Ｋデジタル表示装置と２Ｋサーバとの間を接続するであろう。
【００４５】
表示装置及びスタンドアローン変換装置の代替実施形態においては、セキュリティを要求しない場合、データ暗号解読モジュール１６２を省略し得る。代替として、暗号化装置のような更なる装置を、システムをより柔軟にするため、サーバと表示装置又は変換装置との間に挿入し得る。外部暗号化装置は、システムが新しい暗号アルゴリズムに一層容易に適合するのを可能にする。
【００４６】
本発明の代替実施形態においては、また、二重リンクＨＤ−ＳＤＩストリームの使用してないビットを用いて、２Ｋ解像度４：４：４ １２ビット品質の立体イメージのような高フレーム・レートのコンテンツを、４Ｋ解像度イメージを搬送する方法と類似の方法で搬送することができる。ＹＣｂＣｒ色モデルの場合には、Ｙ左及びＹ右の立体サンプルは、左目輝度及び右目輝度にそれぞれ対応し、そして前述した２Ｋ解像度の圧縮されてない成分に類似した圧縮されてないビデオとして送信されることができる。両方の目のためのＣｂサンプル及びＣｒサンプルは、ＨＲ成分が４Ｋ解像度イメージに関して送信されるのと同じ方法で、圧縮された形式で送信される。両方の目ストリームは、４Ｋ解像度イメージに関して提示された前述の実施形態に従って同じ二重リンクＨＤ−ＳＤＩ接続の中に符号化される。同様に、高フレーム・レートの非立体コンテンツは、立体コンテンツに関してなされた右目及び左目の成分に類似した第１のフレーム及び第２のフレームの成分に分解されることができる。
【００４７】
図１５に示されるように、リンクＡ７０は、全１２ビットの左目輝度、即ちＹ左サンプルを搬送する。リンクＢ７２は、全１２ビットの右目輝度、即ちＹ右サンプルを搬送する。各ＨＤ−ＳＤＩリンク・サンプルは、２０ビットから成り、そして輝度成分は、それら２０ビットのうちの１２個を用いる。１つのスペア・ビットが、禁止ワードを回避するため用いられ、従って、１サンプル当たり少なくとも７スペア・ビットが、使用可能である。
【００４８】
本発明の一実施形態においては、圧縮されないＹサンプルがアクティブ・データとして符号化される間に、７スペア・ビットを用いて、立体コンテンツのＣｂ及びＣｒの圧縮された成分を送信する。２４フレーム／秒で表示されるビデオの場合には、７スペア・ビット／ピクセルは、２０４８×１０８０×２４×７＝３７１，５８９Ｍｂｉｔｓ／ｓを、圧縮されたＣｂ及びＣｒの成分のため用いることを可能にする。ＤＣＩは、圧縮されたストリーム全体がせいぜい２５０Ｍｂｉｔｓ／ｓに制限されるべきことを要求する。従って、スペア・ビットの使用は、Ｃｂ及びＣｒ成分をデータ・ストリームで搬送するのに十分である。
【００４９】
本発明の代替実施形態においては、Ｙサンプルがアクティブ・データとして符号化されたままである間に、補助データを用いて、立体コンテンツのＣｂ及びＣｒ成分を送信する。４Ｋ解像度イメージに対して提示された同じ原理を用いることができる。図１２に示されるように、ＵＤＷを用いて、圧縮されたＨＲ成分について説明したように、圧縮されたＣｂ及びＣｒ成分をまさに搬送し得る。
【００５０】
４Ｋビデオの場合において実行された計算と同じ計算を用いることができる。２４フレーム／秒で表示されるビデオの場合、補助データ・パケット９０は、（（２５５×２）＋１５９）×１１２０×２４×８＝１４３，８６２Ｍｂｉｔｓ／ｓを圧縮されたＣｂ及びＣｒ成分の送信のため用いることを可能にする。二重リンクＨＤ−ＳＤＩ接続がＳＭＰＴＥ−３７２Ｍに従ってそれぞれ１０ビットのポートを４つ与えるので、使用可能な空間は、実際には、上記で計算した量の４倍、即ち、５７５，４４７Ｍｂｉｔｓ／ｓである。ＤＣＩは、圧縮されたストリーム全体がせいぜい２５０Ｍｂｉｔｓ／ｓに制限されるべきことを要求する。従って、補助データ・パケットの使用は、Ｃｂ及びＣｒ成分をデータ・ストリームで搬送するのに十分である。
【００５１】
本発明の一実施形態においては、２Ｋサーバ１７０が、図１６のブロック図で示されている。２Ｋサーバ１７０は、次のモジュール、即ち、記憶モジュール１７２、データ暗号解読モジュール１７４、パーサ・モジュール１７６、２つの圧縮解除エンジン１７８、１８０、２つのイメージ・ウォーターマーキング・モジュール１８２、１８４、２つのパッケージング・モジュール１８８、１９０、２つのイメージ物理的リンク暗号化モジュール１９２、１９４、及びオーディオ・ウォーターマーキング・モジュール１８６を備える。
【００５２】
２Ｋサーバ１７０は、圧縮された立体データをその入力で受信し、そして圧縮されたファイルを記憶モジュール１７２に格納する。記憶モジュール１７２は、データ暗号解読モジュール１７４に結合される。暗号化される場合、データは、データ暗号解読モジュール１７４に事前にローディングされたセキュリティ・キーを用いて暗号解読される。データ暗号解読モジュール１７４は、パーサ・モジュール１７６に結合される。従って、データ・ストリームは、パースされて、データを平文の圧縮されたＣｂ左及びＣｒ左成分、平文の圧縮されたＹ左成分、平文の圧縮されたＣｂ右及びＣｒ右成分、平文の圧縮されたＹ右成分、及び平文のオーディオに分離する。パーサ・モジュール１７６により分離されたオーディオは、オーディオ・ウォーターマーキング・モジュール１８６に結合される。ウォーターマーキング（フォレンジックで又は他の方法で）が要求される場合、オーディオは、ウォーターマーキングされ、そしてオーディオ処理システムに転送される。パーサ・モジュール１７６により分離された平文の圧縮されたＹ左イメージ・ストリームは、第１の圧縮解除エンジン１７８に結合され、一方平文の圧縮されたＹ右イメージ・ストリームは、第２の圧縮解除エンジン１８０に結合される。従って、平文の圧縮されたＹ左及びＹ右イメージ・ストリームは、平文の圧縮されてないＹ左及びＹ右成分のそれぞれに圧縮解除される。平文の圧縮されたＣｂ及びＣｒ成分は、ＨＤ−ＳＤＩデータ・ストリームの使用してないビット内でより容易に転送されるため、圧縮されたままである。第１及び第２の圧縮解除エンジン１７８、１８０は、第１及び第２のイメージ・ウォーターマーキング・モジュール１８２、１８４のそれぞれに結合される。イメージ・ウォーターマークが（フォレンジックで又は別の方法で）要求される場合、ウォーターマーキングは、平文の圧縮されてないＹ左及びＹ右成分に適用される。第１及び第２のイメージ・ウォーターマーキング・モジュール１８２、１８４は、第１及び第２のパッケージング・モジュール１８８、１９０のそれぞれに結合される。従って、平文の圧縮されてないＹ左成分及び平文の圧縮されたＣｂ左及びＣｒ左成分は、一緒に、二重リンクＨＤ−ＳＤＩデータ・ストリームの中のアクティブ・データ及び使用してないビットのそれぞれにパッケージングされる。同様に、平文の圧縮されてないＹ右成分及び平文の圧縮されたＣｂ右及びＣｒ右成分は、一緒に、二重リンクＨＤ−ＳＤＩデータ・ストリームの中のアクティブ・データ及び使用してないビットのそれぞれにパッケージングされる。第１及び第２のパッケージング・モジュール１８８、１９０は、第１及び第２の暗号化モジュール１９２、１９４のそれぞれに結合される。物理的リンク暗号化が要求される場合、暗号化は、データ・ストリームに適用される。暗号化モジュール１９２、１９４は、二重リンクＨＤ−ＳＤＩ接続の２つのリンクに結合され、そこでデータ・ストリームは、データ・インターフェースを介して送信される。
【００５３】
本発明の代替実施形態においては、次のモジュール、即ち、記憶モジュール１７２、データ暗号解読モジュール１７４、イメージ・ウォーターマーキング・モジュール１８２、１８４、イメージ物理的リンク暗号化モジュール１９２、１９４、及びオーディオ・ウォーターマーキング・モジュール１８６を省略し得る。モジュールは、所望の機能を実行する既存の装置を利用するため省略され得て、又はモジュール機能が要求されないとき処理され得る。例えば、セキュリティ（安全性）が問題でない場合、暗号化及び暗号解読が省略され得る。その上、記憶装置、ウォーターマーキング装置又は暗号化装置のような更なる装置が、システムをより柔軟にするためサーバとプロジェクタとの間に挿入され得る。例えば、より大きい記憶装置が市場で入手可能になるとき、２Ｋサーバに交換する必要なしに、外部記憶装置により、システムの中で一層大きい記憶能力に容易に交換することが可能になる。
【００５４】
本発明の一実施形態においては、立体プロジェクタ２００が、図１７のブロック図に示されている。デジタル立体プロジェクタ２００は、次のモジュール、即ち、２つのデータ暗号解読モジュール２０４、２０６、２つのパーサ・モジュール２０８、２１０、２つの圧縮解除エンジン２１２、２１４、２つのイメージ再構成モジュール２１６、２１８、及びディスプレイ２０２を備える。
【００５５】
デジタル立体プロジェクタ２００は、右目及び左目の成分に分離された立体イメージであって、アクティブ・データの中の圧縮されてないＹサンプル・データとして及びＨＤ−ＳＤＩデータ・ストリームの使用してないビットに符号化された圧縮されたＣｂ及びＣｒ成分として符号化された上記立体イメージを含む二重リンクＨＤ−ＳＤＩデータ・ストリームを受信する。データ・インターフェースの２つのリンクは、第１及び第２の暗号解読モジュール２０４、２０６のそれぞれに接続する。暗号化される場合、データは、データ暗号解読モジュール２０４、２０６に事前にローディングされたセキュリティ・キーを用いて暗号解読される。第１及び第２のデータ暗号解読モジュール２０４、２０６は、第１及び第２のパーサ・モジュール２０８、２１０のそれぞれに結合される。従って、データ・ストリームは、パースされて、データを平文の圧縮されたＣｂ及びＣｒ成分と平文の圧縮されてないＹ成分とに分離する。パーサ・モジュール２０８、２１０により分離された平文の圧縮されたＣｂ及びＣｒ成分は、第１及び第２の圧縮解除エンジン２１２、２１４のそれぞれに結合される。従って、平文の圧縮されたＣｂ及びＣｒ成分は、平文の圧縮されてないＣｂ及びＣｒ成分に圧縮解除される。第１及び第２の圧縮解除エンジン２１２、２１４は、第１及び第２のイメージ再構成モジュール２１６、２１８のそれぞれに結合され、次いで当該第１及び第２のイメージ再構成モジュール２１６、２１８は、ディスプレイ２０２に結合される。従って、平文の圧縮されてないＹ成分及び平文の圧縮されてないＣｂ及びＣｒ成分は、一緒に、それぞれの目成分に関して、平文の圧縮されてない右目及び左目データに再構成され、次いで、当該平文の圧縮されてない右目及び左目データは、見るためディスプレイ２０２に送信される。典型的には、再構成は、逆ウェーブレット変換を用いて、右目及び左目の立体イメージを再構成することにより達成される。
【００５６】
本発明の代替実施形態は、データ暗号解読モジュール２０４、２０６、パーサ・モジュール２０８、２１０、圧縮解除エンジン２１２、２１４、及びイメージ再構成モジュール２１６、２１８を、前述したのと同じ要領で、スタンドアローン変換装置の中でのみ実行する。スタンドアローン変換装置は、既存の装置を利用するようプロペラエタリ・フォーマットを標準のフォーマットに変換するために、本発明に従って標準の立体プロジェクタと立体サーバとの間に接続するであろう。
【００５７】
プロジェクタ及びスタンドアローン変換装置の代替実施形態においては、データ暗号解読モジュール２０４、２０６は、セキュリティ（安全性）が要求されない場合省略してもよい。代替として、暗号化装置のような更なる装置が、システムをより柔軟するためサーバとプロジェクタ又は変換装置との間に挿入されてもよい。外部記憶装置は、システムが新しい暗号化アルゴリズムに一層容易に適合することを可能にする。
【００５８】
高解像度イメージ及び高フレーム・レート・コンテンツを供給する方法及び装置の好適な実施形態をこのように説明したが、説明した方法及びシステムの或る一定の利点が達成されたことが当業者には明らかである筈である。また、本発明の様々な変更、適応及び代替実施形態が本発明の範囲及び趣旨内で行い得ることが認められる筈である。例えば、高解像度イメージ及び高フレーム・レート・イメージが、説明されたが、しかし前述した発明的概念がいずれの解像度イメージ又はフレーム・レートにも等しく適用可能であることが明らかである筈である。本発明は、添付の特許請求の範囲によってのみ定義されるものである。
【図面の簡単な説明】
【００５９】
【図１】図１は、例示的２Ｋイメージの規模の説明図である。
【図２】図２は、例示的４Ｋイメージの規模の説明図である。
【図３】図３は、４つの２Ｋイメージに仕切られた４Ｋイメージを示す図である。
【図４】図４は、４Ｋイメージの図であって、圧縮がＨＲ成分と一緒の２Ｋイメージを生成する仕方を示す図である、
【図５】図５は、４Ｋイメージ用に現在用いられている例示的デジタル・シネマ・システムのブロック図である。
【図６】図６は、４Ｋイメージ用に現在用いられている代替のデジタル・シネマ・システムのブロック図である。
【図７】図７は、２Ｋイメージ用に現在用いられている２Ｋサーバのブロック図である。
【図８】図８は、本発明の一実施形態に従ったデジタル・イメージング・システムのブロック図である。
【図９】図９は、ＲＧＢの１２ビット・カラー・モードのチャネル表示の図である。
【図１０】図１０は、ＹＣｂＣｒ（４：４：４）１２ビット・カラー・モードのチャネル表示の図である。
【図１１】図１１は、標準ＨＤ−ＳＤＩフレームの図である。
【図１２】図１２は、タイプ２の補助データ・パケットの図である。
【図１３】図１３は、本発明の一実施形態に従った２Ｋサーバのブロック図である。
【図１４】図１４は、本発明の一実施形態に従った４Ｋプロジェクタのブロック図である。
【図１５】図１５は、本発明の一実施形態に従った立体ＹＣｂＣｒ（４：４：４）１２ビット・カラー・モードのチャネル表示の図である。
【図１６】図１６は、本発明の一実施形態に従った２Ｋ立体サーバのブロック図である。
【図１７】図１７は、本発明の一実施形態に従った４Ｋ立体プロジェクタのブロック図である。
【符号の説明】
【００６０】
６０  ４Ｋプロジェクタ
６２，１７０  ２Ｋサーバ
６６  ２Ｋツー４Ｋ回路
１４４，１７２  記憶モジュール
１４６，１６２，１７４，２０４，２０６  データ暗号解読モジュール
１４８，１６４，１７６，２０８，２１０  パーサ・モジュール
１５０，１６６，１７８，１８０，２１２，２１４  圧縮解除エンジン
１５２，１８２，１８４  イメージ・ウォーターマーキング・モジュール
１５４，１９２，１９４  イメージ物理的リンク暗号化モジュール
１５６，１８６  オーディオ・ウォーターマーキング・モジュール
１５８  パッケージング・モジュール
１６８，２１６，２１８  イメージ再構成モジュール
１６０，２０２  ディスプレイ
２００  立体プロジェクタ
【図１】
2007306539.tif 000003
【図２】
2007306539.tif 000004
【図３】
2007306539.tif 000005
【図４】
2007306539.tif 000006
【図５】
2007306539.tif 000007
【図６】
2007306539.tif 000008
【図７】
2007306539.tif 000009
【図８】
2007306539.tif 000010
【図９】
2007306539.tif 000011
【図１０】
2007306539.tif 000012
【図１１】
2007306539.tif 000013
【図１２】
2007306539.tif 000014
【図１３】
2007306539.tif 000015
【図１４】
2007306539.tif 000016
【図１５】
2007306539.tif 000017
【図１６】
2007306539.tif 000018
【図１７】
2007306539.tif 000019
【外国語明細書】
2007306539000001.pdf